(57)【要約】【課題】複数の会員が、複数の課題を１ユニットとする課題ユニットを対象として発明をすることができ、課題に直接関係のある情報のみばかりでなく、関連があいまいな情報やふと気になる情報を豊かに（多数）、落差のある内容として収集して秀れた発明を効率良く創作することが出来る画期的な発明支援システムを提供すること。【解決手段】複数の会員が、複数の課題を１ユニットとする課題ユニットを対象として発明をし得るように構成した発明支援システムであって、会員が通信ネット網を介して入力する発言オブジェクトを、前記発言オブジェクトに付される課題ユニット番号または課題番号により特定される課題ユニット毎に時系列に記憶する発言オブジェクト記憶手段と、この記憶した前記発言オブジェクトの集合を通信ネット網を介して会員に閲覧可能若しくは出力し得る閲覧・出力手段と、個別会員の情報ファイルを記憶している個別会員情報記憶手段とから成るサーバーにより構成した発明支援システム。【選択図】　　　　図１
2004139283.tif 000002
【特許請求の範囲】
【請求項１】
複数の会員が、複数の課題を１ユニットとする課題ユニットを対象として発明をし得るように構成した発明支援システムであって、会員が通信ネット網を介して入力する発言オブジェクトを、前記発言オブジェクトに付される課題ユニット番号または課題番号により特定される課題ユニット毎に時系列に記憶する発言オブジェクト記憶手段と、この記憶した前記発言オブジェクトの集合を通信ネット網を介して会員に閲覧可能若しくは出力し得る閲覧・出力手段と、個別会員の情報ファイルを記憶している個別会員情報記憶手段とから成るサーバーにより構成したことを特徴とする発明支援システム。
【請求項２】
前記サーバーは、入出力、記憶、加工処理の制御を行う中央制御手段を備えたことを特徴とする請求項１記載の発明支援システム。
【請求項３】
前記サーバーの中央制御手段が、会員の入力した電子認証手段を、前記個別会員情報記憶手段の認証ファイルに記憶されている内容と照合し、合致した場合にアクセスできるように構成したことを特徴とする請求項２記載の発明支援システム。
【請求項４】
前記サーバーの中央制御手段が、前記入力された発言オブジェクトに、前記個別会員情報記憶手段の会員属性ファイルに記憶されている会員番号（ＩＤ番号）と、入力時の日時と、シリアルナンバーを自動的に付与するように構成したことを特徴とする請求項２，３のいずれか１項に記載の発明支援システム。
【請求項５】
前記サーバーの中央制御手段が、前記入力された発言オブジェクトに、前記閲覧・出力手段で出力されている課題ユニットまたは課題に基づいて、課題ユニット番号または課題番号を自動的に付与するように構成したことを特徴とする請求項２〜４のいずれか１項に記載の発明支援システム。
【請求項６】
請求項４記載の会員番号には、前記サーバーの中央制御手段が、開封不能の鍵を自動的に付与するように構成したことを特徴とする請求項４記載の発明支援システム。
【請求項７】
前記発言オブジェクトが入力された場合、前記サーバーの中央制御手段がポイントを自動的に加算し、前記個別会員情報記憶手段のポイントファイルに記憶するように構成したことを特徴とする請求項２〜６のいずれか１項に記載の発明支援システム。
【請求項８】
前記サーバーの中央制御手段が、間隔を置いて最終発言日時と現在日時との差（発言インターバル）を計算し、前記個別会員情報記憶手段の発言インターバルファイルに記憶するように構成したことを特徴とする請求項２〜７のいずれか１項に記載の発明支援システム。
【請求項９】
請求項８記載の発言インターバルが、前記中央制御手段に組み込まれている期間を過ぎている場合に、この中央制御手段が個別会員に警告のメールを自動的に送信するように構成したことを特徴とする請求項８記載の発明支援システム。
【請求項１０】
請求項８記載の発言インターバルが、前記中央制御手段に組み込まれている期間を過ぎている場合に、この中央制御手段がポイントを自動的に減算し、前記個別会員情報記憶手段のポイントファイルに記憶するように構成したことを特徴とする請求項８記載の発明支援システム。
【請求項１１】
複数の会員が、複数の課題を１ユニットとして発明し得るように構成した発明支援システムであって、会員が通信ネット網を介して入力される発言オブジェクトの加工処理条件によって前記発言オブジェクト記憶手段を加工処理して、加工処理ファイルに記憶するように構成し、このサーバーが記憶した前記加工処理発言オブジェクトを通信ネット網を介して前記閲覧・出力手段により会員に閲覧可能若しくは出力し得るように構成したことを特徴とする請求項１〜１０のいずれか１項に記載の発明支援システム。
【請求項１２】
請求項１１記載の加工処理条件として、別ユニットの課題を含めて加工処理条件とすることを特徴とする請求項１１記載の発明支援システム。
【請求項１３】
前記発言オブジェクトにおいて、会員が動画・音声等の添付ファイルを付加して入力し、前記サーバーの中央制御手段がシリアルナンバーを付与して前記発言オブジェクト記憶手段に記憶し、サーバーが記憶した前記動画・音声ファイルを通信ネット網を介して会員が出力（表示）し得るように構成したことを特徴とする請求項２〜１２のいずれか１項に記載の発明支援システム。
【請求項１４】
複数の会員が、複数の課題を１ユニットとして発明し得るように構成した発明支援システムであって、会員が通信ネット網を介して発言オブジエクトを確認したことを入力し、前記サーバーの中央制御手段が前記個別会員情報記憶手段の発言オブジェクト確認ファイルに確認したことを記憶して、サーバーが前記記憶した確認事項と合わせて発言オブジェクト記憶手段を通信ネット網を介して会員に出力（表示）し得るように構成したことを特徴とする請求項２〜１３のいずれか１項に記載の発明支援システム。
【発明の詳細な説明】
【０００１】
【発明の属する技術分野】
本発明は、複数の会員が、複数の課題を１ユニットとする課題ユニットを対象として発明をするにあたり、会員が通信ネット網を介して発言オブジェクトを入力（発言）し、サーバーに発言オブジェクトを課題ユニット番号または課題番号により特定される課題ユニット毎に時系列に記憶して、これら発言オブジェクトの集合を出力（表示）する発明支援システムに関するものである。
【０００２】
【従来の技術及び発明が解決しようとする課題】
発明を支援する技法のうち発散的思考過程としては、ブレーンストーミング法、ブレーンライティング法、属性列挙法、マトリックス法、シネクティクス法、ＮＭ法、など多数のものが提案されている。これらの技法は、効果的でわかりやすくするために、あくまで１課題に対応したものである。
【０００３】
複数の課題が同時並行にある場合にあっては、頭の中が混乱するようにみえるが、一定の数であれば整然と整理されているものである。ただ、これらは時間差をもって脳内の別経路を経て思考されるもので、複数の課題が直接統合されることは、よほど意図的、強制的でない限り困難である。
【０００４】
これは、脳内で行われる思考パターンや考え方が、思考過程のキャナライゼーション（水路化）によって固定されているためである。決まった脳細胞を使用することに基づくもので、習慣化されるため、異質なものの組み合わせなどの柔軟な思考を阻害し、飛躍的な発想の妨げとなっている。
【０００５】
複数課題に対応するチャット方式（おしゃべり）などでも、分かりやすくまとめ、発想をしやすくするために、課題ごとに発言させているのが通常である。また、他者の話題に乗って流れるように会話がすすむのが通常で、話題を変える場合でも、全体に脈絡のないものは出てこない。
【０００６】
通常のおしゃべりや会議をみても分かるように、急激に話題を変えたり戻ったりを頻繁に繰り返すことはない。もし、常態にこれを行おうとしても、馬鹿扱いされるか、相手が話しに付いて来ることができないなどのため、会話は中断される。
【０００７】
即ち、複数課題がある場合、それに対する発言は、分かりやすくするため課題ごとに対応するが通常である。これは、発言の内容をカードに記載し、分類されたラベルが貼られているボックスの中に入れて、カードを整理するのと類比することができる。ところが、人はラベルが貼られ整然と整理されているボックスの中身に対して、興味を持たないボックスにはラベルから判断して最初から手を出さない習いがある。これは、重要なものが多分に隠されている場合があるだろうと推察しながらも、掛けた労力の割には見返りが少ないという費用対効果からの行動である。
【０００８】
本発明は、複数の会員が、複数の課題を１ユニットとして発明をするにあたり、会員が課題ユニットまたは課題を特定する番号を付与した発言オブジエクトを通信ネット網を介して入力（発言）し、サーバーに発言オブジェクトを前記番号により特定される課題ユニット毎に時系列に記憶して、これら発言オブジェクトの集合を出力（表示）する発明支援システムとして、秀れた容易に発明の創出できる画期的なシステムを提供するものである。
【０００９】
即ち、エジソンの例を引くまでもなく、先駆的な発明家は通常、何でも興味を示すもので、複数の課題を常に抱卵しているものである。これらの課題に対して閃いた事項を、ランダムにとりとめもなくメモっている。つまり、常に頭の中で課題をランダムに相互関連させながら、新たに浮かんだ事項や新知識とを離散結合させているのが現実である。
【００１０】
今回提案の発明はこの考えを取り入れて、複数課題を対象に非同期、異空間でランダムに発言した他者の発言内容を強制的に見せることで、脳内の思考をかく乱し、思考経路のスイッチを切り替えさせて、触れ合った異質なものと組み立て直すことで、誤差の大きい閃きを得えようとするものである。即ち、異質なアイデアの間を通すことで、脳内経路のキャナライゼーションに基づいて安易に真っ直ぐに流れる思考を、異質な発言の磁力により強制的に大きく曲げようとするものである。
【００１１】
他者の発言に対しては、順番に関わりなくそれを受けて発言してもよく、また全然脈絡のないものを唐突なアイデアとして発言してもよい。ただ、サーバーはこれらを課題ユニット毎に時系列に記憶して出力（表示）するため、同一投稿者が脈絡を意図したかどうかに関わりなく、他者の発言と組み合わせた時には比較的脈絡のない「異質なものの集合体」を得ることとができる。
【００１２】
着目課題の解決を思考する場合、「異質なものの集合体」を見ることは決して回り道で無意味な行動をしているものではない。異質なものと思われる発言の中には、そのものが持っている機能などの本質部分を汲み取ることで、転用可能となることが多くある。
【００１３】
多くの先人が示しているように、発明にあたっては、「セレンディピティ（思いがけない偶然を見逃さない能力）」が求められることは確かで、本発明の趣旨はそれを意図的に具現化しようとするところにある。したがって、本発明は、エンタルピーを増大させたままのより安易な雑然状態、即ち誰でもが何もしないで成し得ること、を創出しているものではない。非同期、異空間での発言をＩＴ技術を用いることで、意図的に「より異質なものの集合体」を得ようとするものである。
【００１４】
異業種交流、産学官の交流により、異質な人材が集まり発言を行えば、ＩＴ技術による効果の他に、発言内容の異質性が更に増す。
【００１５】
どうしても、脈絡をつくりたい場合や、分かりやすくしたい場合は、加工処理して出力（表示）させて、ヒラメキを得る手段とすることもできる。
【００１６】
本発明では、１つの課題が終わってから次の課題に対処するのではなく、複数課題を同時並行的（コンカレント）に考えることになる。コンカレントな方法をなすため、各課題に対応した発明や複合課題に対応した発明が多数創出する間断のない発明が可能となる。
【００１７】
【課題を解決するための手段】
添付図面（図１〜図５）を参照して本発明の要旨を説明する。
【００１８】
複数の会員が、複数の課題を１ユニットとする課題ユニットを対象として発明をし得るように構成した発明支援システムであって、会員が通信ネット網を介して入力する発言オブジェクトを、前記発言オブジェクトに付される課題ユニット番号または課題番号により特定される課題ユニット毎に時系列に記憶する発言オブジェクト記憶手段と、この記憶した前記発言オブジェクトの集合を通信ネット網を介して会員に閲覧可能若しくは出力し得る閲覧・出力手段と、個別会員の情報ファイルを記憶している個別会員情報記憶手段とから成るサーバーにより構成したことを特徴とする発明支援システムに係るものである。
【００１９】
また、前記サーバーは、入出力、記憶、加工処理の制御を行う中央制御手段を備えたことを特徴とする請求項１記載の発明支援システムに係るものである。
【００２０】
また、前記サーバーの中央制御手段が、会員の入力した電子認証手段を、前記個別会員情報記憶手段の認証ファイルに記憶されている内容と照合し、合致した場合にアクセスできるように構成したことを特徴とする請求項２記載の発明支援システムに係るものである。
【００２１】
また、前記サーバーの中央制御手段が、前記入力された発言オブジェクトに、前記個別会員情報記憶手段の会員属性ファイルに記憶されている会員番号（ＩＤ番号）と、入力時の日時と、シリアルナンバーを自動的に付与するように構成したことを特徴とする請求項２，３のいずれか１項に記載の発明支援システムに係るものである。
【００２２】
また、前記サーバーの中央制御手段が、前記入力された発言オブジェクトに、前記閲覧・出力手段で出力されている課題ユニットまたは課題に基づいて、課題ユニット番号または課題番号を自動的に付与するように構成したことを特徴とする請求項２〜４のいずれか１項に記載の発明支援システムに係るものである。
【００２３】
また、請求項４記載の会員番号には、前記サーバーの中央制御手段が、開封不能の鍵を自動的に付与するように構成したことを特徴とする請求項４記載の発明支援システムに係るものである。
【００２４】
また、前記発言オブジェクトが入力された場合、前記サーバーの中央制御手段がポイントを自動的に加算し、前記個別会員情報記憶手段のポイントファイルに記憶するように構成したことを特徴とする請求項２〜６のいずれか１項に記載の発明支援システムに係るものである。
【００２５】
また、前記サーバーの中央制御手段が、間隔を置いて最終発言日時と現在日時との差（発言インターバル）を計算し、前記個別会員情報記憶手段の発言インターバルファイルに記憶するように構成したことを特徴とする請求項２〜７のいずれか１項に記載の発明支援システムに係るものである。
【００２６】
また、請求項８記載の発言インターバルが、前記中央制御手段に組み込まれている期間を過ぎている場合に、この中央制御手段が個別会員に警告のメールを自動的に送信するように構成したことを特徴とする請求項８記載の発明支援システムに係るものである。
【００２７】
また、請求項８記載の発言インターバルが、前記中央制御手段に組み込まれている期間を過ぎている場合に、この中央制御手段がポイントを自動的に減算し、前記個別会員情報記憶手段のポイントファイルに記憶するように構成したことを特徴とする請求項８記載の発明支援システムに係るものである。
【００２８】
また、複数の会員が、複数の課題を１ユニットとして発明し得るように構成した発明支援システムであって、会員が通信ネット網を介して入力される発言オブジェクトの加工処理条件によって前記発言オブジェクト記憶手段を加工処理して、加工処理ファイルに記憶するように構成し、このサーバーが記憶した前記加工処理発言オブジェクトを通信ネット網を介して前記閲覧・出力手段により会員に閲覧可能若しくは出力し得るように構成したことを特徴とする請求項１〜１０のいずれか１項に記載の発明支援システムに係るものである。
【００２９】
また、請求項１１記載の加工処理条件として、別ユニットの課題を含めて加工処理条件とすることを特徴とする請求項１１記載の発明支援システムに係るものである。
【００３０】
また、前記発言オブジェクトにおいて、会員が動画・音声等の添付ファイルを付加して入力し、前記サーバーの中央制御手段がシリアルナンバーを付与して前記発言オブジェクト記憶手段に記憶し、サーバーが記憶した前記動画・音声ファイルを通信ネット網を介して会員が出力（表示）し得るように構成したことを特徴とする請求項２〜１２のいずれか１項に記載の発明支援システムに係るものである。
【００３１】
また、複数の会員が、複数の課題を１ユニットとして発明し得るように構成した発明支援システムであって、会員が通信ネット網を介して発言オブジエクトを確認したことを入力し、前記サーバーの中央制御手段が前記個別会員情報記憶手段の発言オブジェクト確認ファイルに確認したことを記憶して、サーバーが前記記憶した確認事項と合わせて発言オブジェクト記憶手段を通信ネット網を介して会員に出力（表示）し得るように構成したことを特徴とする請求項２〜１３のいずれか１項に記載の発明支援システムに係るものである。
【００３２】
【発明の実施の形態】
好適と考える本発明の実施の形態（発明をどのように実施するか）を、図面（図１〜図６）に基づいてその作用効果を示して簡単に説明する。
【００３３】
本発明は、Ｗｅｂ上で発明をするにあたり、下記の基本的考えに基づいて支援するシステムである。
【００３４】
Ａ．発明方法
発明にあたっては、「発散的思考過程」と「収束的思考過程」がある。
【００３５】
▲１▼　「発散的思考過程」
発明は既存の技術を組み合わせ、そこに異質な効果を見出すことで成り立つ。同質のものを組み合わせるより、異質なものを組み合わせることが、より効果的な発明を生み出す源となる。つまり、課題に直接関係のある情報のみばかりでなく、関連があいまいな情報やふと気になる情報を豊かに（多数）、落差のある内容として収集する方法を採用する。
【００３６】
▲２▼　「収束的思考過程」
発散的思考過程で、ランダムに集めた多数のアイデア情報を、効率的にまとめる方法を採用する。
【００３７】
ａ）発散的思考過程
▲１▼　複数課題を対象に同時並列的に発言を行う方式とする
１）個々の課題がもつ異分子の考えを包含して取り込むことにより、違う角度から物事が見えて発想（ひらめき）を豊かにすると同時に、落差の大きい発明を得る
２）強制的に他の課題の発言オブジェクトを見ることで、ブレーンストーミングが自然に起こる
▲２▼　ブレーンストーミングの考えを応用する
１）批判厳禁（良し悪しの判断をしない。ただし、建設的批判は可、誹謗中傷は不可とする。）
２）自由奔放（何を考えても許される。奇抜なアイデアほど良い。）
３）大量発想（ともかくアイデアを大量に出す。）
４）結合発展（他人のアイデアに便乗して考える。アイデアを組合せて考える。）
５）多角発想（広い角度から発想する。）
▲３▼　非同期の発言方式とする
１）いつでも思いついた時に入力できる
２）本名のみでなく、匿名、ペンネームでも入力を可能とし、他者に気兼ねなく奇抜な発言をさせる。
【００３８】
ｂ）収束的思考過程
▲１▼　発言オブジェクトをまとめ、会員個人に合わせて加工することで、新たな閃きを得やすくするものである
▲２▼　キーワードによるまとめ：キーワードを用いて次々と収束的にまとめる
同一発言オブジェクトを複数回収束してもよい。また、まとめられない他の発言オブジェクトも「その他」としてまとめる
▲３▼　課題ごとにまとめる場合：複数課題での発言オブジェクトより抜き取るため、課題ごとでも落差の大きい内容が得られる
▲４▼　複数課題を対象にまとめる場合：異質の発言オブジェクトを包含するため、幅の広い内容が得られる。別の課題ユニットでの課題と結合させると、異質で幅の広い内容が更に確保される。
【００３９】
なお、収束的思考過程の従来技法としては、ＫＪ法、親和図法、ブリッジ法（統合技法）などがある。ＫＪ法、親和図法は、カード内容の類似なものを集めてカード群とし、次々に上位グループにまとめていく技法である。
【００４０】
【実施例】
本発明の具体的な実施例について図面に基づいて説明する。
【００４１】
複数の会員が、複数の課題を１ユニットとする課題ユニットを対象として発明をするにあたり、会員が通信ネット網を介して発言オブジェクトを入力（発言）し、サーバーに発言オブジェクトを課題ユニット番号または課題番号により特定される課題ユニット毎に時系列に記憶して、これら発言オブジェクトの集合を出力（表示）する発明支援システムである。
【００４２】
サーバーは、「閲覧・出力手段」、「中央制御手段」、「個別会員情報記憶手段」、「発言オブジェクト記憶手段」とから構成する。なお、他の手段としては「入力手段」、「推進エンジン」、「システム時計」等と必要な手段を具備したものからなる。
【００４３】
会員の入力した電子認証手段と、「個別会員情報記憶手段」の「認証ファイル」に記憶されている内容とが合致した場合にアクセスできる。
【００４４】
入力された発言オブジェクトには、会員番号（ＩＤ番号）と、入力時の日時と、シリアルナンバーを自動的に付与する。
【００４５】
入力された発言オブジェクトには、課題ユニット番号または課題番号を自動的に付与する。
【００４６】
会員番号には、開封不能の鍵を自動的に付与する。この場合、本名、ペンネーム、匿名とも対象とする。
【００４７】
発言オブジェクトが入力された場合、ポイントを自動的に加算し、「個別会員情報記憶手段」の「ポイントファイル」に記憶する。
【００４８】
適宜な間隔を置いて最終発言日時と現在日時との差（発言インターバル）を計算し、「個別会員情報記憶手段」の「発言インターバルファイル」に記憶する。
【００４９】
発言インターバルが一定期間を過ぎている場合に、個別会員に警告のメールを自動的に送信する。
【００５０】
発言インターバルが一定期間を過ぎている場合に、ポイントを自動的に減算し、「個別会員情報記憶手段」の「ポイントファイル」に記憶する。
【００５１】
会員が発言オブジェクトの加工処理条件を入力し、それに応じて「発言オブジェクト記憶手段」を加工処理し、「個別会員情報記憶手段」の「加工処理ファイル」に記憶し、出力（表示）する。
【００５２】
加工処理条件として、別ユニットの課題を含める。
【００５３】
発言オブジェクトには動画・音声等の添付ファイルを付加して入力し、シリアルナンバーを自動的に付与して「発言オブジェクト記憶手段」に記憶し、出力（表示）する。
【００５４】
発言オブジェクトを確認したことを入力した場合、それを出力（表示）時に明示する。
【００５５】
Ｂ．情報管理
ａ）発明での課題
▲１▼　人間と機械（システム）が共存する発明方法の提供
発明は機械やシステムが行うわけではなく、人間が行う行為である。ただ、より良い機械やシステムは人間が発明しやすい手段を提供するものとなる
▲２▼　発明につながる本音の発言は、ライバルに情報が筒抜けでは期待できない。「セキュリティ」が確保され、「相手の素性」が分かって初めてなし得るものがある。
【００５６】
ｂ）「セキュリティ」への対応（与信管理、会員の特定）
▲１▼　「個別会員情報手段」の「認証ファイル」と照合することで、個別に電子認証して（暗号鍵、指紋認証、パスワード、ＩＤ番号など）サーバーと接続するため、与信管理が確実におこなうことができる
発言オブシェクトの入力（発言）、加工処理条件の入力、出力（表示）時などのインターフェースとサーバーとの接点（アクセス）で対応する
▲２▼　発言オブジェクトにＩＤ番号（会員番号）を自動的に付与するため、本名、ペンネーム、匿名での入力のいずれに対しても、個別会員を１００％特定できる。ただし、付与されたＩＤ番号には他者に見られないように非表示のロックをする
なお、個別会員を１００％特定できることより、発明の奨励にあたり、ポイント加減算、警告を確実に行うことができる
▲３▼　サーバー上のセキュリティは、ウィルス対策、ファイアウオール等で対応する。
【００５７】
ｃ）「相手の素性」への対応
▲１▼　文字による掲示の他に、コンピューターで扱える添付ファィル、特に「動画音声ファイル」を添付する。文字を記載しないで単独使用も可能とする
また、「動画」、「音声」を個別使用も可能とする
１）非同期での会話による対応が可能となる。ただし、匿名、ペンネームでの発言の場合は、理論上当然に使用が不可となり、動画音声のもつ良さは失われる
２）同期での会話（ＩＰ電話、携帯電話＜写メールなど＞）とした場合、テレビ会議と同様の機能となる
▲２▼　動画音声ファイルの添付は、静止画と異なり相手の真意が読取りやすくなり、信頼感が増す。また、試作品などの実物を立体的に見ることができるなど、動画音声の利点により発明が醸成されやすくなる
▲３▼　動画音声の入力時に発言する会員は、カメラ、マイクを設置したパソコンを使用する
▲４▼　添付ファイルの発言オブジェクト記憶手段への記憶は、発言オブジェクトと連動できるように、シリアルナンバーを付与する
▲５▼　添付ファイルの開封は、単独、他の発言と連続（シリアル）のいずれでも選択できるようにする（開封はいつでも何回でもできる。）。
【００５８】
Ｃ．発明の奨励
▲１▼　発明にあたっては、自らの貢献度合いを適正に評価してもらいたいとの動機付けが必要である。また、発明は人間の自発的な発想に基づく行為ではあるが、経済学者グレッシャムがいう「悪貨は良貨を駆逐する」が示すように日常業務を理由にして発明へ非協力的になる場合が多く、これを避ける仕組みが必要である
このため、アメとムチに相当する「ポイント制」と「警告（アラーム）の送信」で対応する
▲２▼　「個別会員情報手段」の「発言インターバルファイル」と連動して処理されるため、個別会員を１００％特定できるため、問題なく実施が可能である。
【００５９】
ａ）ポイント制
▲１▼　ポイント制を取り入れ、発明時での評価（貢献度合い）に使用する
▲２▼　加算方法としては、次のものから適宜選択して適用する
１）発言オブジェクト１つにつき、一定点数を加算する方法
２）発言間隔に基づき、時間比例で減じたポイント数を加算する方法
３）会員相互評価により加算する方法
４）発言オブジェクトの加工処理時のヒット回数により加算する方法
▲３▼　減算方法は次により処理する
１）警告に合わせて、減算する方法をとる
２）誹謗中傷といった発言オブジェクト内容での減算は、あいまいなため実施しない。
【００６０】
ｂ）警告（アラーム）の送信
警告（アラーム）発信後一定期間過ぎても発言のない場合などに適用する
１）一定期間内に発言がない場合に、警告のメールを送付する
２）警告発信日時は「発言インターバルファイル」に記録する。一定期間過ぎても発言がない場合は、再警告のメールを送信する。
【００６１】
以下にシステム上の対応について更に具体的に説明する。
【００６２】
Ａ．ユーザー側コンピューター（会員）
ａ）認証ステップ
▲１▼　パスワード、ＩＤ番号の入力
▲２▼　電子認証（暗号鍵、指紋認証など）の入力
▲３▼　認証の適合性は、サーバーの「個別会員情報記憶手段」の「認証ファイル」と照合して行う。
【００６３】
ｂ）出力ステップ
出力（表示）としては、「集合発言オブジェクトの表示」、「加工処理発言オブジェクトの表示」等の画面がある
▲１▼　集合発言オブジェクトの表示（通常出力）
１）課題：課題ユニット番号、課題番号、課題内容
２）発言オブジェクト：シリアル番号、発言内容、発言日時、投稿者名、対象課題番号、動画音声等の添付ファイル＜不要項目は非表示＞
▲２▼　加工処理発言オブジェクトの表示
１）課題：課題ユニット番号、課題番号、課題内容
２）発言オブジェクト：シリアル番号、発言内容、発言日時、投稿者名、対象課題番号、動画音声等の添付ファイル＜キーワード毎に表示する。不要項目は非表示＞
▲３▼　ポイント、発言インターバル（最終発言日）、警告の表示
常時、別枠表示とする
▲４▼　発言オブジェクトの確認、非確認の表示（下記方法より選択）
１）確認個所のみでの表示（レ印などの表示）
２）発言オブジェクト全体での表示（色違いによる表示・非表示の区別）
３）新着情報としての表示（Ｎｅｗなどの表示）。
【００６４】
ｃ）入力ステップ
▲１▼　発言オブジェクトの入力
１）発言内容の記入
２）投稿者（会員）：本名、ペンネーム、匿名のいずれでも可とする
３）課題ユニット番号：番号は手入力、または開いているＷｅｂ上からか、課題番号から認識して自動生成してもよい
４）課題番号：発言内容に該当するもので、複数入力も可能とする。番号は手入力、または開いているＷｅｂ上から認識して自動生成してもよい
▲２▼発言オブジェクトの加工処理条件の入力
加工は発言オブジェクトをダウンロードしてユーザー側コンピューター単独処理も可能である。ここでは、サーバー上で処理する場合を対象とする
１）対象課題：課題ユニット内の１〜複数の課題番号を選択する。他課題ユニットより課題を選択してもよい
２）キーワード入力：発言オブジェクトを検索し、キーワード毎に集合させる。大きい集合の場合は更にキーワード入力して絞込みを行う
３）保存ファイル名：発言オブジェクト加工処理ファイルへ記憶する
▲３▼　動画・音声等の添付ファイルの入力
発言オブジェクトに添付ファイルとして入力する
▲４▼　発言オブジェクトの確認の入力（下記方法の選択適用）
見た時点で確認を入力することで、再度見ることの手間を省く
１）確認個所をワンクリック、またはダブルクリックでの入力
２）確認個所にレ印での入力。
【００６５】
Ｂ．サーバー側
ａ）閲覧・出力手段
ユーザー側コンピューターへの出力ステップは、サーバー側の閲覧・出力手段を介して行われる。
【００６６】
ｂ）中央制御手段
▲１▼会員アクセス時の制御：認証の照合
▲２▼課題の記憶：課題ユニット番号、課題番号、課題内容
▲３▼発言オブジェクトへの付与事項：
１）課題ユニット番号、課題番号（手入力、またはサーバーが自動生成する。）
２）ＩＤ番号、日時、シリアル番号をサーバーが自動生成する
▲４▼　発言オブジェクトの記憶：
１）発言オブジェクトに付与された課題ユニット番号または課題番号に基づいて、課題ユニットを特定して、発言オブジェクトを課題ユニットごとに時系列に記憶する
２）同一課題が複数の課題ユニットにある場合は、発言オブジェクトを発言した当該課題ユニットばかりに記憶する方法、または、他の課題ユニットにも記憶させる方法などがある。どの方法を採用するかは選択可能なものとする
▲５▼　動画音声等の添付ファイルの記憶：シリアル番号を自動生成する
▲６▼　発言オブジェクトの加工処理：入力された加工処理条件に基づいて、処理する
▲７▼　ポイントに関する処理：自動加算、減算とその記憶
▲８▼　発言インターバルの処理（計算と記憶）、警告メールの自動送付
一定間隔に課題ユニット番号ごとに最終発言日時と現在日時（システム時計に基づく）との差を計算する
▲９▼　サーバーでの入出力制御（会員別の入出力制御を含む）
※警告までの発言インターバル期間、ポイントの加減等の条件は、中央制御手段に組み入れておく。その処理方法としては、プログラム内で処理する、または条件ファイルとして処理するなどで対応する。
【００６７】
ｃ）個別会員情報記憶手段
▲１▼　認証ファイル：暗号鍵、指紋、パスワード、ＩＤ番号などを認証する事項
▲２▼　会員属性ファイル：会員名、住所、性別、年齢、趣味、所属会社に関する項など
▲３▼　ポイントファイル：課題ユニット番号、ポイント数、加算減算日など
▲４▼　発言インターバルファイル：最終発言日時、発言インターバル日数、警告送付日時など
▲５▼　発言オブジェクト加工処理ファイル：ファイルを会員相互に共有することができる。（会員個別にダンロードして対応してもよい。）
▲６▼　発言オブジェクト確認ファイル：会員別に発言オブジェクトの確認有無を記憶する。
【００６８】
ｄ）発言オブジェクト記憶手段
▲１▼　課題の記憶（課題エリア）：課題ユニット番号、課題番号、課題内容
▲２▼　発言オブジェクトの記憶（発言オブジェクトエリア）
１）課題ユニットごとに、時系列に記憶する
２）記憶：発言内容、投稿者名、課題ユニット番号、課題番号、ＩＤ番号、発言日時、シリアル番号
▲３▼　動画・音声等の添付ファイルの記憶（添付ファイルエリア）：シリアル番号を付与して、発言オブジェクトと連動できるように記憶する
▲４▼　課題、発言オブジェクト、添付ファイル：上記のようなエリア毎に記憶する方法のほか、課題ユニット毎に区分したエリアで記憶してもよい。
【００６９】
ｅ）その他手段
▲１▼　入力手段
▲２▼　推進エンジン：全文キーワード検索など
▲３▼　システム時計：日時を設定する。
【００７０】
また、発言オブジェクト，課題，課題ユニットの例，実際適用について説明する。
【００７１】
Ａ．発言オブジェクト
▲１▼　１発言を１つのカード（単位）とみなしたものである
▲２▼　発言内容は、チャット方式でのアイデア、意見とし、文章の長短は問わない（ブレーンストーミングのように短文形式でもよい。）
▲３▼　課題ユニット番号：手入力、または自動生成させる仕組みでもよい
▲４▼　課題番号：手入力、または自動生成させる仕組みでもよい。複数記入してもよい
▲５▼　投稿者名：本名、ペンネーム、匿名のいずれでもかまわない
▲６▼　シリアル番号、ＩＤ番号、発言日時は自動的に付与する。ただし、ペンネーム、匿名の場合に、ＩＤ番号は会員を特定させないため非表示のロックをする（本名を含めてもよい。）。
【００７２】
Ｂ．課題
▲１▼　課題は会員が適宜提案するものとするが、今回発明ではステップとして入れない
▲２▼　「課題」とは、どうなっているかという「現状」と、どうありたいかといった「目標」とに生じるギャップをいい、解決を必要としている事柄を示す。課題は次々と課題を発生させるが、今回は最初に設定したものを特に指すことにする
▲３▼　「課題ユニット」とは、２以上の課題の集合体を示す。状況により、加えたり、減らしたりすることもよいものとする。また、新たに課題ユニットを設定する場合は、以前の課題を加えても良い。
【００７３】
Ｃ．課題ユニットの例
▲１▼　異質なグループとしての例（一般的課題＋建設関連課題）
１）課題Ｎｏ．１：自転車に関する新しい使い道
２）課題Ｎｏ．２：かさに関する新しい使い道
３）課題Ｎｏ．３：ケーソン工法の新しい使い道
⇒（発明の成果）「自転車を入れる地下空間をケーソン工法で築造する。」
▲２▼　同質なグループとしての例（環境に関する課題）
１）課題Ｎｏ．１：ゼオライトの新しい使い道
２）課題Ｎｏ．２：都市部のヒートアイランド対策
３）課題Ｎｏ．３：重金属による地盤汚染対策
⇒（発明の成果）「ゼオライトを舗装に適用して保水性をもたせる。ゼオライトを地中連続壁に適用して重金属を付着させる。」。
【００７４】
Ｄ．実際適用
▲１▼　今回発明をＷｅｂ上で実際に使用する場合は、図面（図６）「Ｗｅｂ上で発明する方法」に示しているような手順で実施する。その１ステップ「発言→発明」に今回発明を活用する
▲２▼　課題ユニットでの発言期間としては、次のような方法から選択して対応する
１）２ヶ月などのように区間を区切る
２）特に区間を区切らないで発明を行い、発言が減少するなどにより終了させる
３）時間を指定して、ほぼ同期的に行う
▲３▼　警告メールの送付期間
１）発言のインターバルを１週間など、期間を指定する
２）その後、発言がない場合は、３日後に再送付するなどピッチを早める
３）発言インターバルの確認は、０．５日間隔など適宜設定する
▲４▼　ポイントの減点
１）警告メール送信後、３日後などの一定期間経ても発言がない場合に減点する
２）警告メール送信ごとに減点する。
【００７５】
尚、本発明は、本実施例に限られるものではなく、各構成要件の具体的構成は適宜設計し得るものである。
【００７６】
また、本発明は、発明に関することのみを対象とするのではなく、考案や創作などの創造に関するものを創出する場合に適用することができるものである。
【００７７】
【発明の効果】
本発明は上述のように構成したから、複数の会員が、複数の課題を１ユニットとする課題ユニットを対象として発明をすることができ、課題に直接関係のある情報のみばかりでなく、関連があいまいな情報やふと気になる情報を豊かに（多数）、落差のある内容として収集して秀れた発明を効率良く創作することが出来る画期的な発明支援システムとなる。
【００７８】
また、本発明では、１つの課題が終わってから次の課題に対処するのではなく、複数課題を同時並行的（コンカレント）に対処する構成となる。コンカレントな方法をなすため、各課題に対応した発明や複合課題に対応した発明が多数創出する間断のない発明支援システムとなる。
【００７９】
また、会員の入力した電子認証手段と、「個別会員情報記憶手段」の「認証ファイル」に記憶されている内容とが合致した場合にアクセスできる構成としたため、与信管理が確実に行うことができ、会員同士の本音の発言を得る発明支援システムとなる。
【００８０】
また、入力された発言オブジェクトには、会員番号（ＩＤ番号）と、入力時の日時と、シリアルナンバーを自動的に付与する構成としたため、発言オブジェクトの特定や会員との結びつきを１００％特定できる発明支援システムとなる。
【００８１】
また、入力された発言オブジェクトには、課題ユニット番号または課題番号を自動的に付与する構成としたため、発言オブジェクトを複数の課題ユニットが並列してあっても発言オブジェクト記憶手段に課題ユニットを特定して記憶することができる発明支援システムとなる。
【００８２】
また、会員番号には、開封不能の鍵を自動的に付与し、特にペンネーム、匿名で発言した場合は、他者が投稿者を特定できない構成としたため、会員同士の本音の発言を得る発明支援システムとなる。
【００８３】
また、発言オブジェクトが入力された場合、ポイントを自動的に加算し、「個別会員情報記憶手段」の「ポイントファイル」に記憶する構成としたため、発明での適正な評価ができ発明の動機付けを得る発明支援システムとなる。
【００８４】
また、適宜な間隔を置いて最終発言日時と現在日時との差（発言インターバル）を計算し、「個別会員情報記憶手段」の「発言インターバルファイル」に記憶する構成としたため、個別会員に警告のメールを自動的に送信することやポイントを自動的に減算することを適正に行うことのできる発明支援システムとなる。
【００８５】
また、発言インターバルが一定期間を過ぎている場合に、個別会員に警告のメールを自動的に送信する構成としたため、会員への発言を適切に促す発明支援システムとなる。
【００８６】
また、発言インターバルが一定期間を過ぎている場合に、ポイントを自動的に減算し、「個別会員情報記憶手段」の「ポイントファイル」に記憶する構成としたため、ポイントの減算を適正に行い会員への発言を適切に促す発明支援システムとなる。
【００８７】
また、会員が発言オブジェクトの加工処理条件を入力し、それに応じて「発言オブジェクト記憶手段」を加工処理し、「個別会員情報記憶手段」の「加工処理ファイル」に記憶し、出力（表示）する構成としたため、発言オブジェクトを会員個人に合わせて加工することができ、新たな閃きを得ることのできる発明支援システムとなる。
【００８８】
また、加工処理条件として、別ユニットの課題を含める構成としたため、異質な発言オブジェクトを得ることのでき、新たな閃きを得ることのできる発明支援システムとなる。
【００８９】
また、発言オブジェクトには動画・音声等の添付ファイルを付加して入力し、シリアルナンバーを自動的に付与して「発言オブジェクト記憶手段」に記憶し、出力（表示）する構成としたため、相手の素性が分かるなどの多様な内容の情報を提供でき、会員同士の意思疎通や本音の発言を得る発明支援システムとなる。
【００９０】
また、発言オブジェクトを確認したことを入力した場合、それを出力（表示）時に明示する構成としたため、一度見た発言オブジェクトを再度見返すなどのムダを省くことのできる発明支援システムとなる。
【図面の簡単な説明】
【図１】本実施例の発明支援システムの概念図である。
【図２】本実施例の発言オブジェクト入出力処理フロー図である。
【図３】本実施例の警告時、ポイント減算時処理フロー図である。
【図４】本実施例の発言オブジェクト加工処理フロー図である。
【図５】本実施例の発言オブジェクトの変移を示す説明図である。
【図６】本実施例を適用した「Ｗｅｂ上で発明する方法」の処理フロー図である。
【図１】
2004139283.tif 000003
【図２】
2004139283.tif 000004
【図３】
2004139283.tif 000005
【図４】
2004139283.tif 000006
【図５】
2004139283.tif 000007
【図６】
2004139283.tif 000008